(57)【特許請求の範囲】
【請求項１】
自転車のハンドルに取り付けられる幼児座席装置であって
幼児が座る座部を有する座席本体と、
座席本体に着脱自在に設けられ、座部に座った幼児の背中が当接するカバーと、
前記カバーに取り付けられ、座部に座った幼児を拘束するシートベルトと、を備え、
前記カバーを前記座席本体から離脱させると、前記シートベルトが前記カバーとともに前記座席本体から離脱し、
前記シートベルトは、
座部に座った幼児の肩部および腹部の少なくともいずれかを左右両方から拘束する側方ベルトと、
前記幼児の股間から立ち上がり、前記側方ベルトにバックルを介して接続される底面ベルトとを備え、
前記カバーを前記座席本体から離脱させると、前記側方ベルトおよび前記底面ベルトが前記カバーとともに前記座席本体から離脱することを特徴とする、自転車用幼児座席装置。
【請求項２】
前記カバーは、略平面形状であって、前記座部に座った幼児の背中が前記平面形状部に当接し、
前記側方ベルトおよび前記底面ベルトが前記カバーに取り付けられていることを特徴とする、請求項１に記載の自転車用幼児座席装置。
【請求項３】
前記カバーは、略Ｌ字形状であって、前記座部に座った幼児の背中が当接する背カバー部と前記幼児の臀部が当接する座面カバー部とを備え、
前記側方ベルトが前記背カバーに取り付けられ、かつ、前記底面ベルトが前記座面カバーに取り付けられていることを特徴とする、請求項１に記載の自転車用幼児座席装置。
【請求項４】
前記カバーに取り付けられ、座部に座った幼児の頭部を保護するヘッドレスト、をさらに備え、
前記カバーを前記座席本体から離脱させると、前記シートベルトおよび前記ヘッドレストが前記カバーとともに前記座席本体から離脱することを特徴とする、請求項１〜請求項
３のいずれかに記載の自転車用幼児座席装置。
【請求項５】
前記座部の前方側に配置された脚載せ部材と、
前記脚載せ部材は後端側が前記座部に枢軸を介して枢支されていて、第１姿勢と該第１姿勢から前記枢軸回りに下方に揺動した第２姿勢とに姿勢変更自在とされ、前記脚載せ部材の第１姿勢からの下方揺動が不能となるように脚載せ部材を第１姿勢にて保持する保持位置と、脚載せ部材の第１姿勢からの下方揺動を許容する開放位置とに位置変更自在とされたロック部材とを、さらに備えることを特徴とする請求項１〜請求項４のいずれかに記載の自転車用幼児座席装置。
【発明の詳細な説明】
【技術分野】
【０００１】
本発明は、自転車のハンドルに取り付けられる幼児座席装置に関し、特に、幼児座席装置が幼児座席として不要になると利便性の良い前かごへ容易に変化（変形）する自転車用幼児座席装置に関する。
【背景技術】
【０００２】
従来から、サドルの前方のハンドル付近に取り付けられ幼児が着座可能な座席装置およびそのような座席装置を備えた自転車が各種提案されている。
たとえば、特開２００９−５６８８０号公報（特許文献１）は、幼児が着座したときにシートベルトの引き出し位置を変更することができる自転車用の幼児座席装置を開示する。さらに、特開２００９−６７１２６号公報（特許文献２）は、前方視界を確保することができるカウリング（風防）を備えた自転車用の幼児座席装置を開示する。これらの特許文献に開示された幼児座席装置は、いずれも自転車のハンドルおよびハンドルステムを用いて固定される。
【０００３】
一方、自転車のこの位置には、幼児を乗せる必要がない場合には、荷物を載せる前かごが取り付けられることが多い。たとえば、特開２００６−２０５９８８号公報（特許文献３）は、このような前かごを開示する（図１、図２）。
【先行技術文献】
【特許文献】
【０００４】
【特許文献１】特開２００９−５６８８０号公報
【特許文献２】特開２００９−６７１２６号公報
【特許文献３】特開２００６−２０５９８８号公報
【発明の概要】
【発明が解決しようとする課題】
【０００５】
ところで、幼児が成長して、幼児自身が自転車に乗るようになったり、幼児の体重が幼児座席装置の上限体重を超えたりすると、幼児座席装置は不要となる。このまま、この幼児座席装置を前かごとして使用しようとすることも不可能ではない。特に、幼児座席装置を前かごに取り付け直すことを費用の面から好まないユーザも存在する。
しかしながら、幼児座席装置を前かごとして使用しようとすると、幼児座席装置が備えるヘッドレスト（ヘッドガード）、シートベルト、べルトバックル、カウリング、幼児が握るためのハンドルバー、足乗せ部およびクッション等は、前かごとしては不要な部品であって、荷物を載せるときに邪魔にさえなる。しかも、これらの不要な部品を取り外すことを想定して幼児座席装置が設計されていないため、これらを取り外すことが不可能な場合がある。また、取り外すことが可能である場合であっても取り外しが困難な場合があり、場合によっては自転車から幼児座席装置を一旦取り外さないと、不要な部品を取り外せないことがある。
【０００６】
さらに、幼児座席装置のサドル側（自転車後方側）は、幼児が乗ったときに幼児がもたれられるようにサドル側へ傾斜した構造を備えるので、大きな容量を確保できる直方体形状が好ましい前かごとして使用しにくい。すなわち、幼児座席装置を前かごとへ転用しようとしても、利便性の良い前かごにならない。
本発明は、上述の問題に鑑みてなされたものであって、自転車用の幼児座席装置であって、幼児座席として使用しなくなると、利便性の良い前かごへ容易に変化させることのできる自転車用幼児座席装置を提供することを目的とする。
【課題を解決するための手段】
【０００７】
上述した目的を達成するため、本発明は次の技術的手段を講じている。
本発明に係る自転車用幼児座席装置は、自転車のハンドルに取り付けられる。この幼児座席装置は、幼児が座る座部を有する座席本体と、座席本体に着脱自在に設けられ、座部に座った幼児の背中が当接するカバーと、前記カバーに取り付けられ、座部に座った幼児を拘束するシートベルトと、を備える。前記カバーを前記座席本体から離脱させると、前記シートベルトが前記カバーとともに前記座席本体から離脱することを特徴とする。
【０００８】
好ましくは、前記シートベルトは、座部に座った幼児の肩部および腹部の少なくともいずれかを左右両方から拘束する側方ベルトを備え、前記カバーを前記座席本体から離脱させると、前記側方ベルトが前記カバーとともに前記座席本体から離脱するように構成することができる。
さらに好ましくは、前記シートベルトは、座部に座った幼児の肩部および腹部の少なくともいずれかを左右両方から拘束する側方ベルトと、前記幼児の股間から立ち上がり、前記側方ベルトにバックルを介して接続される底面ベルトとを備え、前記カバーを前記座席本体から離脱させると、前記側方ベルトおよび前記底面ベルトが前記カバーとともに前記座席本体から離脱するように構成することができる。
【０００９】
さらに好ましくは、前記カバーは、略平面形状であって、前記座部に座った幼児の背中が前記平面形状部に当接し、前記側方ベルトおよび前記底面ベルトが前記カバーに取り付けられているように構成することができる。
さらに好ましくは、前記カバーは、略Ｌ字形状であって、前記座部に座った幼児の背中が当接する背カバー部と前記幼児の臀部が当接する座面カバー部とを備え、前記側方ベルトが前記背カバーに取り付けられ、かつ、前記底面ベルトが前記座面カバーに取り付けられているように構成することができる。
【００１０】
さらに好ましくは、前記カバーに取り付けられ、座部に座った幼児の頭部を保護するヘッドレスト、をさらに備え、前記カバーを前記座席本体から離脱させると、前記シートベルトおよび前記ヘッドレストが前記カバーとともに前記座席本体から離脱するように構成することができる。
さらに好ましくは、前記座部の前方側に配置された脚載せ部材と、前記脚載せ部材は後端側が前記座部に枢軸を介して枢支されていて、第１姿勢と該第１姿勢から前記枢軸回りに下方に揺動した第２姿勢とに姿勢変更自在とされ、前記脚載せ部材の第１姿勢からの下方揺動が不能となるように脚載せ部材を第１姿勢にて保持する保持位置と、脚載せ部材の第１姿勢からの下方揺動を許容する開放位置とに位置変更自在とされたロック部材とを、さらに備えるように構成することができる。
【発明の効果】
【００１１】
本発明に係る自転車用幼児座席装置によると、幼児座席として使用しなくなると、利便性の良い前かごへ容易に変化させることができる。
【図面の簡単な説明】
【００１２】
【図１】本発明の第１の実施の形態に係る自転車用幼児座席装置が装着された自転車の全体斜視図である。
【図２】図１に示した自転車用幼児座席装置を前かごへ変化させたときの自転車の全体斜視図である。
【図３】図１に示した自転車用幼児座席装置の分解斜視図である。
【図４】図３に示した自転車用幼児座席装置の拡大斜視図（その１）である。
【図５】図３に示した自転車用幼児座席装置の拡大斜視図（その２）である。
【図６】図３に示した自転車用幼児座席装置の側面図である。
【図７】図３に示した自転車用幼児座席装置の上面図である。
【図８】図３に示した自転車用幼児座席装置の底面図である。
【図９】図３に示した自転車用幼児座席装置の前面図である。
【図１０】図３に示した自転車用幼児座席装置の背面図である。
【図１１】座席本体にセットされた状態の背カバーの上面図である。
【図１２】座席本体にセットされた状態の背カバーの断面図である。
【図１３】図１１に示した背カバーの正面図である。
【図１４】図１１に示した背カバーの背面図である。
【図１５】本発明の第２の実施の形態に係る自転車用幼児座席装置の分解斜視図である。
【図１６】図１５に示した自転車用幼児座席装置の拡大斜視図である。
【図１７】本発明の第３の実施の形態に係る自転車用幼児座席装置の分解斜視図である。
【図１８】図１７に示した自転車用幼児座席装置の拡大斜視図である。
【発明を実施するための形態】
【００１３】
以下、本発明の実施の形態を、図に基づいて説明する。
なお、以下の説明では、異なる実施の形態であっても、同一の部品には同一の符号を付してある。それらの名称および機能も同じである。したがって、それらについての詳細な説明は繰返さない。
＜第１の実施の形態＞
図１は、本発明の第１の実施の形態に係る自転車用幼児座席装置（以下、単に「幼児座席装置」と記載する場合がある）１００を自転車４００に取り付けた状態の全体斜視図であって、図２は、幼児座席装置１００を前かご（以下、単に「かご」と記載する場合がある）へ変化させた状態の全体斜視図である。この幼児座席装置１００は、自転車４００へ取り付けたままの状態で、かごとしては不要な部品（幼児座席としては必要）を容易に取り外して、使い勝手の良いかごへ変化させることができる。
【００１４】
図３はこの幼児座席装置１００の分解斜視図であって、図４および図５は幼児座席装置１００の拡大斜視図であって、図６は幼児座席装置１００の側面図であって、図７は幼児座席装置１００の上面図であって、図８は幼児座席装置１００の底面図であって、図９は幼児座席装置１００の前面図であって、図１０は幼児座席装置１００の背面図であって、図１１は座席本体１１０にセットされた状態の背カバー１２０の上面図であって、図１２は座席本体１１０にセットされた状態の背カバー１２０の断面図であって、図１３は背カバー１２０の正面図であって、図１４は背カバー１２０の背面図である。これらの図を用いて、幼児座席装置１００の構造および使用方法（かごへ変化させる手順）について詳しく説明する。なお、図３等の斜視図とその他の図とでは、ずれが生じている構成部品もあるが、斜視図は、この幼児座席装置１００の構造を参考のために示すものに過ぎない。
【００１５】
［構造］
幼児座席装置１００は、これらの図に示すように、その内部に座部を形成する座席本体１１０と、座席本体１１０とは別体に構成された背カバー１２０と、幼児の頭部を保持したり保護したりするヘッドレスト１３０と、座部に座った幼児の体を拘束するシートベルト１４０と、座部に座った幼児が握るためのハンドルバー１５０等とで構成される。
【００１６】
なお、この幼児座席装置１００は、本出願人により出願された、特開２０１１−８８５３７号公報、特開２０１１−８８５３６号公報、特開２０１１−８８５３５号公報、特開２０１０−２６９７８０号公報、特開２０１０−２６９７７９号公報、特開２０１０−２６９７７８号公報等の実施の形態に開示された幼児座席装置と、シートベルト１４０の保持部を兼ねた、幼児が自分の背中をもたれかける背カバー１２０が脱着可能であること等を除いて、基本的構造は同じである。
【００１７】
座席本体１１０の左右側方壁の外側にはガイド１１２が設けられている。このガイド１１２は、座席本体１１０が一体成型される場合には、このガイド１１２も座席本体１１０の一部として一体成型されることになる。後輪軸を左右から挟む両足スタンドで自転車４００を固定して幼児座席装置１００を上方から自転車４００へ装着するとき、および、自転車４００を固定して幼児座席装置１００を上方へ自転車４００から離脱するときに、幼児座席装置１００のガイド１１２がハンドル起立部４３４に沿って摺動するように、ガイド１１２の断面は（ハンドル起立部４３４の断面形状に対応した）略コの字型をしている。また、ハンドル起立部４３４の間隔と幼児座席装置１００の幅とが合致している。この幼児座席装置１００は、ガイド１１２に設けられた左右の取付穴１７１および底面に設けられた取付穴１７２の３箇所において、ボルトおよびナット等の締結部材により自転車４００に取り付けられている。なお、この幼児座席装置１００を前かごへ変化させるときには、幼児座席装置１００を自転車４００から取り外す必要はない。
【００１８】
座席本体１１０は、座部を有し、この座部の後部で後壁面が立ち上がるようになっている。座部の左右両側には側部ガード壁を形成するようにし、これら側部ガード壁の後端は後壁面と一体的に連結形成されていても構わない。なお、幼児座席装置１００には、自転車４００のハンドルを幼児が直接触れないようにするためにハンドルカバー１８０（図３のみに表示）左右に設けることも好ましい。このハンドルカバー１８０は側部ガード壁と一体成型しても、別体で成型して取り付けても構わない。このようにすると、夏場に日射で高温になった自転車４００のハンドルに幼児が直接触れて熱さを感じることを回避することができる。
【００１９】
本実施の形態に係る幼児座席装置１００の特徴の概要を説明する。従来の幼児座席装置においては、座面に座った幼児の背中が座席本体の後壁面に直接当接していたが、本実施の形態に係る幼児座席装置１００においては背カバー１２０が幼児の背中に当接する。この背カバー１２０にはヘッドレスト１３０およびシートベルト１４０が取り付けられているため、背カバー１２０を座席本体１１０から取り外すことにより、前かごとして不要な部品を一度に取り外すことができる。さらに、背カバー１２０は、座席本体１１０から容易に離脱できるような構成を備える。これらの特徴の詳細については後述する。
【００２０】
さらに、この幼児座席装置１００の別の特徴について説明する。上述のように、従来の幼児座席装置と異なり、この幼児座席装置１００においては座席本体１１０とは別体に着脱自在な背カバー１２０を設けた。たとえば、幼児座席装置１００の後壁面を（斜めではなく）略垂直に立ち上げておいて、背カバー１２０を後壁面に対して斜めになるように取り付けて幼児座席装置として使って、背カバー１２０を取り外して略直方体の前かごとして使うことにより、双方における使い勝手を良くすることができる。
【００２１】
・ステップ
図６に示すように、座席本体１１０の座部の前方側には、脚載せ部材（ステップ１１３）を備える。ステップ１１３は、後端側が座席本体に枢軸を介して枢支されていて、第１姿勢（矢示Ｂ方向にステップ１１３が閉じている姿勢）と第１姿勢から枢軸回りに下方に揺動した第２姿勢（矢示Ａ方向にステップ１１３が開いている姿勢）とに姿勢変更自在とされている。ステップ１１３の第１姿勢からの下方揺動が不能となるようにステップ１１３を第１姿勢にてロックする保持側の位置と、ステップ１１３の第１姿勢からの下方揺動を許容する開放側の位置とに位置変更自在とされたつまみ１１８を備える。
【００２２】
すなわち、ステップ１１３は、矢示Ａ方向に開いて幼児がその両脚を通す開口部を形成したり矢示Ｂ方向に閉じて幼児座席装置１００が前かごとして使用されるときのかご底部を構成したりする。このように、ステップ１１３は、矢示Ａ方向へ取付姿勢を変更することにより（矢示Ｂ方向に完全には閉じないようにして）、座部に座った幼児の足置きとして使用することができるとともに、矢示Ｂ方向へ取付姿勢を変更することにより（矢示Ｂ方向に完全に閉じて）、自転車４００に載せる荷物の収納部として使用することができる。
【００２３】
図６〜図８に示すように、ステップ１１３は、座席本体の底面に設けられたステー１１７のつまみ１１８を保持側に回転させておくことにより矢示Ｂ方向に閉じられた状態を保持し、つまみ１１８を開放側に回転させておくことにより矢示Ａ方向に開かれた状態を保持する。すなわち、幼児座席装置１００に幼児を乗せて使用する場合には、つまみ１１８を開放側に回転させてステップ１１３を矢示Ａ方向に開かれた状態を保持し、幼児座席装置１００を前かごとして使用する場合には、つまみ１１８を保持側に回転させてステップ１１３を矢示Ｂ方向に閉じられた状態を保持する。
【００２４】
・シートベルト
シートベルト１４０は、５点式のシートベルトである。幼児の腹部を左右から拘束する２本の腹部ベルト１４２および幼児の両肩をそれぞれ拘束する２本のショルダーベルト１４３は、背カバー１２０に取り付けられており、２本の腹部ベルト１４２および２本のショルダーベルト１４３を固定するバックル１４１が取り付けられた底面ベルト１４４は、幼児の股間を通って座席本体１１０の底面に取り付けられている。なお、シートベルトは５点式に限定されるものではなく、腹部ベルト１４２およびショルダーベルト１４３のいずれかと底面ベルト１４４との３点式であっても構わないし、さらに腹部ベルト１４２のみであっても構わない。
【００２５】
・背カバー
図４に示すように、背カバー１２０は、略平板形状の背板１２１を備え、背板１２１の下方端部に２個の係合ステー１２５を備える。これらの係合ステー１２５は、座席本体１１０の底面と後背面との境界部近傍に２箇所設けられた係合穴１１５にそれぞれ係合する。座席本体１１０の後背面には、２箇所の背カバー取付穴１１６が設けられ、背カバー１２０には、背カバー取付穴１１６に対応する位置に２個の板ナット１２４が設けられている。係合穴１１５に係合ステー１２５を係合させた後に、座席本体１１０の外側から背カバー取付穴１１６を通されたノブボルト（図示しない）と板ナット１２４とが締結されることにより、座席本体１１０に背カバー１２０が固定される。
【００２６】
このような構造であるので、図示しないノブボルトを自転車４００のサドル側から緩めて板ナット１２４からノブボルトを外して、背カバー１２０を上方へ移動させて係合ステー１２５を係合穴１１５から抜くことにより、座席本体１１０から背カバー１２０を離脱させることができる。この場合において、以下に説明するように、シートベルトが背カバー１２０に取り付けられているため、背カバー１２０を座席本体１１０から離脱させることにより、シートベルト（詳しくは２本の腹部ベルト１４２および２本のショルダーベルト１４３）を座席本体１１０から取り外すことができる。
【００２７】
図１１および図１２は、背カバー１２０が座席本体１１０に取り付けられた状態を示す。背カバー１２０は、上述したように座席本体１１０の係合穴１１５に係合ステー１２５が係合されていることに加えて、リブ１２７が座席本体１１０の後壁面に当接している。さらに、後述するように、背カバー１２０の背面に設けられた突起部１２６にヘッドレスト支持部１３２の保持穴１３３が嵌合して、ヘッドレスト支持部１３２が背カバー１２０に当接している。ただし、図１２では、ヘッドレスト１３０を記載していないのでヘッドレスト支持部１３２が表示されておらず突起部１２６が表されている。
【００２８】
シートベルトの背カバー１２０への取り付けについて説明する。図５を参照して、腹部ベルト１４２の固定について説明するが、これ以外のショルダーベルト１４３および底面ベルト１４４も同じように取り付けられている。図５に示すように、背カバー１２０には腹部ベルト取付穴１２２が設けられており、腹部ベルト１４２の端部にループ部分を形成して、そのループ部分にベルトストッパー１６２を通して、ベルトストッパー１６２を腹部ベルト取付穴１２２へ挿入することにより腹部ベルト１４２が背カバー１２０へ取り付けられている。ベルトストッパー１６２は、２本の爪部分が腹部ベルト取付穴１２２への挿入時には互いに近接し、挿入されてしまうと元の形状に戻る程度の可撓性を備える。爪の部分が互いに近接するように指で摘んで腹部ベルト取付穴１２２からベルトストッパー１６２を引き抜くことにより、腹部ベルト１４２を背カバー１２０から取り外すことができる。
【００２９】
同じように、ショルダーベルト１４３は背カバー１２０に設けられたベルト取付穴１２３にベルトストッパー１６３を挿入することにより取り付けられている。このように背カバー１２０に腹部ベルト１４２およびショルダーベルト１４３が取り付けられているため、上述したように、背カバー１２０を座席本体１１０から離脱させることにより、腹部ベルト１４２およびショルダーベルト１４３を幼児座席装置１００から取り外すことができる。
【００３０】
なお、底面ベルト１４４は座席本体１１０の底面に設けられた底面ベルト取付穴１１９にベルトストッパー（図示せず）を挿入することにより取り付けられている。図示しないベルトストッパーの爪の部分が互いに近接するように指で摘んで底面ベルト取付穴１１９からベルトストッパーを引き抜くことにより、底面ベルト１４４および底面ベルト１４４に取り付けられたバックル１４１を座席本体１１０から取り外すことができる。
【００３１】
・ハンドルバー
座部の上方であって背カバー１２０に対向する位置に座席本体１１０を跨ぐように、座部に座った幼児が握るためのハンドルバー１５０が設けられている。このハンドルバー１５０は、幼児が手で把持するためにソフトなクッション材が巻着されている。このハンドルバー１５０の左右端にハンドルバーステー１５１が設けられ、このハンドルバーステー１５１で座席本体１１０に取り付けられている。座席本体１１０の外側から、ハンドルバーステー１５１のハンドル取付穴１５４および座席本体１１０の取付穴１１１を通されたノブボルト１５３と、ステー取付部１１４に保持されたナット１５２とが締結されている。なお、ハンドルバーステー１５１は、座席本体１１０に設けられたガイド（図示しない）等により起立状態を保持する。ハンドルバーステー１５１の起立状態を保持するためには、ステー取付部１１４を座席本体１１０の外側面に設けて、ハンドルバーステー１５１の内側にこのステー取付部１１４に嵌合する溝を設けるようにしても構わない。
【００３２】
このような構造であるので、ノブボルト１５３を幼児座席装置１００の自転車４００の左右両側から緩めてステー取付部１１４に保持されたナットからノブボルトを外して、ハンドルバー１５０を上方へ移動させることにより、座席本体１１０からハンドルバー１５０を離脱させることができる。なお、このハンドルバー１５０の高さ位置および／または角度は、位置調整部を設けて、座部に座った幼児の体型により変更することができると好ましい。
【００３３】
・ヘッドレスト
座部の背面の上方には、ヘッドレスト１３０が、背カバー１２０で保持されて設けられている。このヘッドレスト１３０は、幼児の頭部が当接する位置はクッション材１３１で覆われている。このヘッドレスト１３０は、ヘッドレスト支持部１３２の保持穴１３３が、背カバー１２０の背面に設けられた突起部１２６に嵌合して、その状態で背カバー１２０が座席本体１１０に取り付けられることにより、座席本体１１０に固定される。なお、このヘッドレスト１３０の位置は、高さ調整部を設けて、座部に座った幼児の体型により変更することができると好ましい。このようにヘッドレスト１３０が背カバー１２０に取り付けられているため、背カバー１２０を座席本体１１０から離脱させることにより、シートベルト（詳しくは２本の腹部ベルト１４２および２本のショルダーベルト１４３）とともにヘッドレスト１３０も座席本体１１０から取り外すことができる。
【００３４】
なお、これ以外の幼児座席装置１００の構成は、上述した６つの公報に開示の実施の形態と同じであるため、ここでの詳細な説明は繰り返さない。
［使用方法：幼児座席からかごへの変化］
以上のような構造を備える幼児座席装置１００を、幼児座席として使用している状態（図１）から前かごとして使用する状態（図２）へ変化させる手順について説明する。なお、以下に示す手順はそれらの順序を変更することも可能である。
【００３５】
・第１の手順
矢示Ａ方向に開いているステップ１１３を矢示Ｂ方向に閉じて、ステー１１７のつまみ１１８を保持側に回転させて、ステップ１１３を矢示Ｂ方向に閉じられた状態を保持する。これにより、前かごの、自転車４００の前方方向の底面を形成させることができる。
・第２の手順
ノブボルト１５３を幼児座席装置１００の自転車４００の左右両側から緩めてステー取付部１１４に保持されたナットからノブボルトを外して、ハンドルバー１５０を上方へ移動させる。これにより、座席本体１１０からハンドルバー１５０を離脱させることができ、前かごの荷物の出し入れにハンドルバー１５０が邪魔にならなくなる。
【００３６】
・第３の手順
背カバー１２０を取り付けているノブボルトを自転車４００のサドル側から緩めて板ナット１２４からノブボルトを外して、背カバー１２０を上方へ移動させて係合ステー１２５を係合穴１１５から抜く。これにより、座席本体１１０から背カバー１２０を離脱させることができる。この場合において、ヘッドレスト１３０およびシートベルト１４０が背カバー１２０に取り付けられているため、背カバー１２０を座席本体１１０から離脱させることにより、ヘッドレスト１３０もシートベルト１４０も座席本体１１０から取り外すことができる。これにより、前かごとして不要な部品を一度に取り外すことができる。
【００３７】
・第４の手順
ここまでの手順により、幼児座席装置１００は、ほぼ前かごとして機能するのであるが、底面ベルト１４４が座席本体１１０の底面に取り付けられたままである。このため、底面ベルト１４４を保持しているベルトストッパーの爪の部分が互いに近接するように指で摘んで底面ベルト取付穴１１９からベルトストッパーを引き抜く。これにより、底面ベルト１４４および底面ベルト１４４に取り付けられたバックル１４１を座席本体１１０から取り外すことができる。
【００３８】
このようにして、図１に示す状態から図２に示す状態へ、幼児座席装置１００を容易に変化させることができる。なお、底面ベルト１４４およびバックル１４１を座席本体１１０から取り外す必要がないと感じるユーザは、これらを取り外す必要はなく、この場合には３つの手順で幼児座席装置を前かごへ変化させることができる。
以上のようにして、本実施の形態に係る幼児座席装置１００によると、自転車４００から幼児座席装置１００を取り外すことなく、（１）ステップ１１３を閉じること、（２）２本のノブボルトを緩めてハンドルバー１５０を取り外すこと、（３）２本のノブボルトを緩めて背カバー１２０を取り外すこと（さらに加えて底面ベルト１４４を取り外すこと）により、幼児座席装置１００を前かごに容易に変化させることができる。前かごの状態においては、前かごとして不要な（座席装置として必要な）部品（背カバー１２０、ヘッドレスト１３０、シートベルト１４０、ハンドルバー１５０）が取り外されており、荷物の出し入れに好適となっている。また、これらの不要な部品の中でハンドルバー１５０以外は、背カバー１２０を座席本体１１０から取り外すのみの手順により、座席本体１１０から取り外すことができる。その結果、本実施の形態に係る幼児座席装置１００によると、幼児座席として使用しなくなると、利便性の良い前かごへ容易に変化させることができる。
【００３９】
なお、幼児座席装置１００の後壁面を（斜めではなく）略垂直に立ち上げておいて、背カバー１２０を後壁面に対して斜めになるように取り付けておくと、前かごの容積が増えるので好ましい。
＜第２の実施の形態＞
以下に、図１５および図１６を参照して、本発明の第２の実施の形態に係る幼児座席装置２００について説明する。この幼児座席装置２００は、第１の実施の形態に係る幼児座席装置１００とは、底面ベルトの取り付け方法が異なる。それ以外は第１の実施の形態と同じであるため、ここでの詳細な説明は繰り返さない。
【００４０】
図１５および図１６に示すように、本実施の形態に係る幼児座席装置２００は、座面カバー２０１を備え、背カバー２２０の略平板形状の背板２２１に底面ベルト２４４を保持する底面ベルト取付穴２０４を設けている点が、上述した実施の形態と大きく異なる点である。なお、座席本体２１０の底面と後背面との境界部近傍に設けられた係合穴２１５は１個であって、背板２２１の下方端部に設けられる係合ステー２２５も１個である。この係合ステー２２５は、係合穴２１５に係合する。これらの個数は限定されるものではなく、第１の実施の形態において１個（１組）であっても構わないし、本実施の形態において２個（２組）であっても構わないし、３個（３組）以上であっても構わない。
【００４１】
座面カバー２０１は、座席本体２１０の底面に敷かれ、幼児の臀部が当接する。座面カバー２０１は、幼児の両太ももの裏側が当接する左右の脚保持部２０２を備え、その脚保持部２０２の間には、底面ベルト２４４を通す底面ベルト通し穴２０５が設けられている。この座面カバー２０１は、たとえば、クッション性のある素材で構成される。
座席本体２１０の底面のステー２１７には、底面ベルト取付穴１１９に代えて、底面ベルト通し穴２１８が設けられている。底面ベルト２４４は、ループ部が形成された一方の端部が底面ベルト通し穴２１８および底面ベルト通し穴２０５を通されて、座面カバー２０１と座席本体２１０の底面との間を通されて、背カバー２２０の背面に設けられた底面ベルト取付穴２０４へベルトストッパー２０３を挿入することにより取り付けられている。なお、底面ベルト２４４の一方の端部にループ部を形成することは、背カバー２２０の底面ベルト取付穴２０４へ通すまでに行えばよい。また、図１６においては、底面ベルト２４４は、底面ベルト通し穴２０５を通していない。
【００４２】
底面ベルト２４４の他方の端部にはバックル２４１が取り付けられている。バックル２４１には左右方向に１つずつ係合穴が設けられている。右側の腹部ベルト２４２および右側のショルダーベルト２４３がバックル挿入部材（タング）２４５に取り付けられ、バックル爪２４６がバックル２４１の右側の係合穴へ挿入される。左側も同様にして、５本のシートベルトで幼児を拘束する。なお、この構造は第１の実施の形態では説明していないが、第１の実施の形態も第２の実施の形態も（さらには第３の実施の形態も）同じである。
【００４３】
このような構造を備える幼児座席装置２００において、背カバー２２０には、ヘッドレスト１３０、２本の腹部ベルト２４２、２本のショルダーベルト２４３および１本の底面ベルト２４４が取り付けられている。底面ベルト２４４からバックル２４１を外して、係合穴２１５に係合している係合ステー２２５の係合状態が外れるように座席本体２１０から背カバー２２０を上方へ離脱させてから、座席本体２１０から背カバー２２０を上方へ離脱させる。このとき、底面ベルト２４４のバックル２４１が取り外された端部は、底面ベルト通し穴２１８および底面ベルト通し穴２０５を抜ける。このようにして、底面ベルト２４４を、他の４本のシートベルト（２本の腹部ベルト２４２および２本のショルダーベルト２４３）とともに、座席本体２１０から離脱させることができる。
【００４４】
以上のようにして、本実施の形態に係る幼児座席装置２００によると、背カバー２２０を座席本体２１０から離脱させることにより、５本のシートベルトを座席本体２１０から取り外すことができ、上述した第４の手順が不要となる。
＜第３の実施の形態＞
以下に、図１７および図１８を参照して、本発明の第３の実施の形態に係る幼児座席装置３００について説明する。この幼児座席装置３００は、第１の実施の形態に係る幼児座席装置１００および第２の実施の形態に係る幼児座席装置２００とは、底面ベルトの取り付け方法が異なる。それ以外は第１の実施の形態または第２の実施の形態と同じであるため、ここでの詳細な説明は繰り返さない。
【００４５】
図１７および図１８に示すように、本実施の形態に係る幼児座席装置３００は、第２の実施の形態に係る幼児座席装置２００の座面カバー２０１と背カバー２２０とを一体化したような、座椅子形状に類似するＬ字方形状のカバー３２０を備える。カバー３２０は、座席本体３１０に座った幼児の背中が当接する背板３２１と幼児の臀部が当接する座面カバー部３２２とで構成される。座面カバー部３２２の上には、座面カバー２０１が載置される。
【００４６】
座面カバー部３２２の先端部に係合ステー３２５が設けられ、座席本体３１０の底面のステー３１７に係合ステー３２５を係合する係合穴３１５を設けている点が、上述した実施の形態と大きく異なる点である。なお、ステー３１７に設けられた係合穴３１５は１個であって、カバー３２０の座面先端部に設けられる係合ステー３２５も１個である。これらの個数は限定されるものではない。
【００４７】
カバー３２０の底面の略中央部には、底面ベルト３４４を取り付ける底面ベルト取付穴３０４が設けられている。底面ベルト３４４は、底面ベルト取付穴３０４にベルトストッパー３０３を挿入することにより取り付けられている。底面ベルト３４４の底面ベルト取付穴３０４の反対の端部には、バックル２４１が取り付けられている。なお、バックルの構造は第２の実施の形態と同じである。
【００４８】
このような構造を備える幼児座席装置３００において、カバー３２０には、ヘッドレスト１３０、２本の腹部ベルト２４２、２本のショルダーベルト２４３および１本の底面ベルト３４４が取り付けられている。底面ベルト３４４からバックル２４１を外して、係合穴３１５に係合している係合ステー３２５の係合状態が外れるように座席本体３１０からカバー３２０を斜め上方へ離脱させてから、座席本体３１０からカバー３２０を上方へ離脱させる。このとき、底面ベルト３４４のバックル２４１が取り外された端部は、底面ベルト通し穴２０５を抜ける。このようにして、底面ベルト３４４を、他の４本のシートベルト（２本の腹部ベルト２４２および２本のショルダーベルト２４３）とともに、座席本体３１０から離脱させることができる。
【００４９】
以上のようにして、本実施の形態に係る幼児座席装置３００によると、カバー３２０を座席本体３１０から離脱させることにより、５本のシートベルトを座席本体３１０から取り外すことができ、上述した第４の手順が不要となる。
以上、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００５０】
１００  幼児座席装置（第１の実施の形態）
１１０  座席本体
１１３  ステップ
１２０  背カバー
１３０  ヘッドレスト
１４０  シートベルト
１５０  ハンドルバー
２００  幼児座席装置（第２の実施の形態）
３００  幼児座席装置（第３の実施の形態）
４００  自転車
【図１】
0005739279.tif 000002
【図２】
0005739279.tif 000003
【図３】
0005739279.tif 000004
【図４】
0005739279.tif 000005
【図５】
0005739279.tif 000006
【図６】
0005739279.tif 000007
【図７】
0005739279.tif 000008
【図８】
0005739279.tif 000009
【図９】
0005739279.tif 000010
【図１０】
0005739279.tif 000011
【図１１】
0005739279.tif 000012
【図１２】
0005739279.tif 000013
【図１３】
0005739279.tif 000014
【図１４】
0005739279.tif 000015
【図１５】
0005739279.tif 000016
【図１６】
0005739279.tif 000017
【図１７】
0005739279.tif 000018
【図１８】
0005739279.tif 000019